【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
乾燥風を吹出し供給する本体ケース（１）と、本体ケース（１）に着脱される整髪ユニ
ットを備えており、
整髪ユニットの整髪体（２１）は一群の整髪要素（３１）と、整髪要素を支持する支持
ベース（３０）を備えており、
整髪体（２１）は本体ケース（１）で整髪姿勢と収容姿勢の間で姿勢変更可能に支持さ
れており、
整髪姿勢における整髪体（２１）は、本体ケース（１）の吹出口（５）側の端部から突
出されて整髪要素（３１）が乾燥風の吹き出し領域に臨ませてあり、
収容姿勢における整髪体（２１）は、整髪要素（３１）が乾燥風の吹き出し領域から退
避して、本体ケース（１）の周囲に沿う状態で収納されていることを特徴とするヘアード
ライヤー。
【請求項２】
整髪姿勢における整髪体（２１）の支持ベース（３０）が、本体ケース（１）の吹出口
（５）から吹出し供給される乾燥風の吹出し中心軸（Ｐ）に沿って突設されており、
整髪体（２１）の整髪要素（３１）の一群が、支持ベース（３０）から乾燥風の吹出し
中心軸（Ｐ）に向かって多列状に突設されている請求項１に記載のヘアードライヤー。
【請求項３】
本体ケース（１）に、送風ファン（１１）を駆動するモーター（１２）と、乾燥風を加
熱するヒーター（１３）と、モーター（１２）およびヒーター（１３）の作動状態を制御
する制御部（１５）と、整髪体（２１）の姿勢が切換えられたことを検知する姿勢検知ス
イッチ（６１）が配置されており、
整髪体（２１）が整髪姿勢に切換え操作されたことを姿勢検知スイッチ（６１）が検知
した状態において、姿勢検知スイッチ（６１）の出力信号を受けた制御部（１５）がモー
ター（１２）の駆動回転数を増加させ、あるいはヒーター（１３）の発熱量を減少させる
請求項１または２に記載のヘアードライヤー。
【請求項４】
乾燥風の吹出し中心軸（Ｐ）と、吹出し中心軸（Ｐ）と直交する垂直線（Ｑ）を想定し
、本体ケース（１）の下面に突設した本体グリップ（２）のグリップ中心軸線（Ｒ）と、
前記垂直線（Ｑ）が挟む角度を（θ）とするとき、
整髪姿勢に切換えられた整髪体（２１）の整髪軸線（Ｓ）と、乾燥風の吹出し中心軸（
Ｐ）が挟む角度が前記角度（θ）に設定してある請求項１から３のいずれかひとつに記載
のヘアードライヤー。
【請求項５】
乾燥風の吹き出し領域における最終出口（２６）の開口縁の延長形状線（Ｋ）を想定す
るとき、
整髪要素（３１）が、吹出口（５）の開口縁の延長形状線（Ｋ）と交差させてある請求
項１から４のいずれかひとつに記載のヘアードライヤー。
【請求項６】
本体ケース（１）の吹出口（５）に臨んで、送風ファン（１１）から送給された乾燥風
を変向案内する複数の変向板（４８）と、変向板（４８）を切換え操作する変向板操作体
（４９）を備えた変向機構（２２）が設けられており、
変向板（４８）は、送風ファン（１１）から送給された乾燥風を乾燥風の吹出し中心軸
（Ｐ）に沿って送出案内する待機姿勢と、送風ファン（１１）から送給された乾燥風を整
髪体（２１）に向かって変向案内する変向姿勢との間で姿勢変更可能に支持されており、
整髪体（２１）が収容姿勢から整髪姿勢に切換えられるのに連動して、変向機構（２２
）の変向板（４８）を変向板操作体（４９）で待機姿勢から変向姿勢に切換え操作できる
請求項１から５のいずれかひとつに記載のヘアードライヤー。
【請求項７】
整髪体（２１）が、直線軸状の支持ベース（３０）と、同ベース（３０）に沿って列設
される整髪要素（３１）を備えており、
整髪要素（３１）が乾燥風の吹き出し領域に臨む整髪姿勢と、整髪要素（３１）が乾燥
風の吹き出し領域から退避する収容姿勢の間で、整髪体（２１）が本体ケース（１）に対
して支軸（３６）回りに反転回動可能に支持されている請求項１から６のいずれかひとつ
に記載のヘアードライヤー。
【請求項８】
整髪ユニットは、整髪体（２１）および変向機構（２２）と、これら両者（２１・２２
）を支持する整髪ノズル（２０）とでアタッチメント化されており、
整髪ノズル（２０）の内部に変向板（４８）と変向板操作体（４９）が配置されて、整
髪体（２１）が整髪ノズル（２０）で整髪姿勢と収容姿勢の間で姿勢切換え可能に支持し
てある請求項６または７に記載のヘアードライヤー。
【請求項９】
付属品装着部（８）に着脱される補助ノズル（７０）を備えているヘアードライヤーで
あって、
本体ケース（１）と整髪ユニットの間に、整髪ユニットに設けた姿勢検知スイッチ（６
１）の出力信号を受け継ぐコネクター（６５）が設けてあり、
コネクター（６５）は、整髪ユニットの側に設けられるコネクターピン（６６）と、本
体ケース（１）の側に設けられる接続端子（６７）を備えており、
補助ノズル（７０）に接続端子（６７）と係合するダミーピン（７４）が設けてある請
求項８に記載のヘアードライヤー。
【請求項１０】
本体ケース（１）の一端および他端に吸込口（４）と吹出口（５）が開口されており、
本体ケース（１）の吸込口（４）に、本体ケース（１）を乾燥風の吹出し中心軸（Ｐ）
の回りに回転操作する補助グリップ（９０）が着脱自在に装着されており、
補助グリップ（９０）が、乾燥風の吹出し中心軸（Ｐ）に沿って突設されるグリップ軸
部（９２）を備えている請求項１から９のいずれかひとつに記載のヘアードライヤー。
【請求項１１】
補助グリップ（９０）が、吸込口（４）に外嵌される装着部（９１）とグリップ軸部（
９２）を一体に備えており、
グリップ軸部（９２）が、装着部（９１）の内部に連通する通気自在な筒軸で形成して
ある請求項１０に記載のヘアードライヤー。
【請求項１２】
装着部（９１）の周面に外部空気の通過を許す吸気開口（９５）が形成され、グリップ
軸部（９２）の突端に外部空気の通過を許す吸気口（９７）が形成してある請求項１１に
記載のヘアードライヤー。
【請求項１３】
本体ケース（１）の周面に本体グリップ（２）が設けられており、
本体グリップ（２）は、グリップ軸部（９２）の内部に着脱可能な装着部（２ａ）を備
えており、
装着部（９１）を載置面に載置し、装着部（２ａ）をグリップ軸部（９２）に装着する
ことにより、補助グリップ（９０）が本体ケース（１）のスタンドを兼ねている請求項１
０から１２のいずれかひとつに記載のヘアードライヤー。
【請求項１４】
整髪体（２１）が、直線軸状の支持ベース（３０）と、同ベース（３０）に沿って列設
される整髪要素（３１）を備えており、
整髪要素（３１）が乾燥風の吹き出し領域に臨む整髪姿勢と、整髪要素が乾燥風の吹き
出し領域から退避する収容姿勢の間で、整髪体（２１）が本体ケース（１）に対して変位
可能に支持されており、
整髪体（２１）が整髪姿勢に切換えられた状態において、支持ベース（３０）が本体ケ
ース（１）の吹出口（５）の側からベース突端側に向かって下り傾斜されて、ベース突端
側の整髪要素（３１）が乾燥風の吹出し中心軸（Ｐ）と交差させてある請求項１から３の
いずれかひとつに記載のヘアードライヤー。
【請求項１５】
本体ケース（１）の吹出口（５）に設けた付属品装着部（８）に、整髪ユニットが着脱
可能に装着されており、
整髪ユニットは、付属品装着部（８）に装着される整髪ノズル（２０）と、整髪ノズル
（２０）で整髪姿勢と収容姿勢の間で姿勢切換え可能に支持される整髪体（２１）を備え
ており、
付属品装着部（８）に装着した整髪ノズル（２０）は、本体ケース（１）で乾燥風の吹
出し中心軸（Ｐ）の回りに回転可能に支持されており、
整髪ノズル（２０）が、本体ケース（１）と整髪ノズル（２０）の間に設けた節度構造
で一定の回転角度おきに係合保持される請求項１４に記載のヘアードライヤー。
【請求項１６】
乾燥風を吹出し供給する本体ケース（１）と、本体ケース（１）の吹出口（５）に装着
される整髪ユニットを備えており、
本体ケース（１）に、乾燥風を加熱するヒーター（１３）と、送風ファン（１１）を駆
動するモーター（１２）と、ヒーター（１３）およびモーター（１２）の作動状態を制御
する制御部（１５）が設けられており、
整髪ユニットは、吹出口（５）に連続する風導筒部（１０１）と、風導筒部（１０１）
の出口（１０２）から送給される乾燥風の送給領域内に設けられる整髪体（２１）を備え
ており、
本体ケース（１）に、整髪ユニットが吹出口（５）に装着されたことを検知する着脱検
知スイッチ（１１３）が配置されており、
整髪ユニットが吹出口（５）に装着されたことを着脱検知スイッチ（１１３）が検知し
た状態において、制御部（１５）がヒーター（１３）の発熱量を減少させ、あるいはモー
ター（１２）の駆動回転数を増加させることを特徴とするヘアードライヤー。
【請求項１７】
乾燥風を吹出し供給する本体ケース（１）と、本体ケース（１）の周面から突出する本
体グリップ（２）と、本体ケース（１）の吹出口（５）に装着される整髪ユニットを備え
ており、
本体ケース（１）に、乾燥風を加熱するヒーター（１３）と、送風ファン（１１）を駆
動するモーター（１２）と、ヒーター（１３）およびモーター（１２）の作動状態を制御
する制御部（１５）が設けられており、
本体グリップ（２）は、本体ケース（１）の下方に突出する使用姿勢と、本体ケース（
１）の吸込口（４）の側へ折起こされる第２収納姿勢との間で変位できるよう、本体ケー
ス（１）に設けた支軸（１６）で支持されており、
整髪ユニットは、吹出口（５）に連続する風導筒部（１０１）と、風導筒部（１０１）
の出口（１０２）から送給される乾燥風の送給領域内に設けられる整髪体（２１）を備え
ており、
本体ケース（１）に、本体グリップ（２）が第２収納姿勢に切換ったことを検知するグ
リップ検知スイッチ（１１４）が配置されており、
本体グリップ（２）が第２収納姿勢に切換ったことをグリップ検知スイッチ（１１４）
が検知した状態において、制御部（１５）がヒーター（１３）の発熱量を減少させ、ある
いはモーター（１２）の駆動回転数を増加させることを特徴とするヘアードライヤー。